(57)【要約】【課題】  低いランニングコストで長時間の貯蔵を可能とすると共に、容量を自由に設定することができる保冷庫、及びこの保冷庫を構成する冷却ユニットを提供し、軽量で安価な保冷庫、及びこの保冷庫を構成する冷却ユニットを提供すること。【解決手段】  開口部たる第一の開口部４Ａを覆うように、断熱性を有する主蓋体５を枠４に対して開閉自在に取り付けると共に、開口部たる第二の開口部４Ｂを覆うように、スターリング冷凍機８を有する冷却サブユニット７が取り付けられて冷却作用部Ａが一面側に熱的に露出した断熱性を有する副蓋体６を前記枠に対して取り付けて、冷却ユニット２を構成することで、この冷却ユニット２によって開口部３Ｆが閉塞される任意の大きさの前記断熱容器３内を冷却することができ、従来用いられていた固体二酸化炭素や保冷剤等と比較して、被貯蔵物を長時間連続して貯蔵することができる。【選択図】図１
2006090665.tif 000002
【特許請求の範囲】
【請求項１】
開口部を有する枠と、
断熱性を有し、前記枠の開口部の一部を開閉するように取り付けられた主蓋体と、
断熱性を有し、前記枠の開口部の他部を覆うように取り付けられた副蓋体と、
スターリング冷凍機を有すると共に、前記副蓋体に取り付けられた冷却サブユニットよりなり、
この冷却サブユニットの冷却作用部が、前記副蓋体の一面側に熱的に露出することを特徴とする冷却ユニット。
【請求項２】
前記主蓋体及び副蓋体が板状の断熱材からなることを特徴とする請求項１記載の冷却ユニット。
【請求項３】
前記冷却サブユニットが、この冷却サブユニットを前記副蓋体に対して取り付けるための取付体を有することを特徴とする請求項１乃至２記載の冷却ユニット。
【請求項４】
断熱容器の開口部を閉塞するように、この開口部に対して前記断熱容器とは独立した上記冷却ユニットを着脱自在に取り付けたことを特徴とする請求項１乃至３記載の冷却ユニットを用いた保冷庫。
【発明の詳細な説明】
【技術分野】
【０００１】
本発明は、冷却ユニット及びそれを用いた保冷庫に関するものであり、特に輸送用に用いられる保冷庫に関するものである。
【背景技術】
【０００２】
従来、運送用に用いられる保冷庫としては、発泡合成樹脂製の断熱容器と蓋体からなる保冷庫に、固体二酸化炭素や保冷剤等を入れることで、保冷庫内を冷却できるようにしたものが一般的である。また、開閉自在な蓋体が取り付けられた断熱容器に冷却加熱ユニット（本発明の冷却ユニットに該当する）を内蔵した電子式温冷蔵庫も知られている（例えば、特許文献１参照。）。また、断熱箱（本発明の断熱容器に該当する）の開口部を開閉自在に覆う蓋体に、冷温装置（本発明の冷却ユニットに該当する）を内蔵した冷温蔵庫も知られている（例えば、特許文献２参照。）。更に、箱体（本発明の断熱容器に該当する）の開口部を開閉自在に覆う蓋体に、冷却装置（本発明の冷却ユニットに該当する）を内蔵した保冷庫も知られている（例えば、特許文献３参照。）。
【特許文献１】特開２０００−３０４４０２号公報
【特許文献２】実用新案第２５５３０２２号公報
【特許文献３】特開２００１−３１１５７６号公報
【発明の開示】
【発明が解決しようとする課題】
【０００３】
しかしながら、固体二酸化炭素や保冷剤等によって内部を冷却する保冷庫では、貯蔵物或いは保冷庫外からの熱によって、固体二酸化炭素が昇華したり、保冷剤が融解したりするので、貯蔵物を長時間貯蔵する場合、固体二酸化炭素の補充や保冷剤の交換等の手間がかかるという問題があった。また、固体二酸化炭素を用いる場合、長期間にわたる繰り返し使用によりその使用量が膨大になり、ランニングコストが高くなってしまうばかりでなく、昇華によって気体二酸化炭素となるので、大気中の二酸化炭素濃度を高めてしまう虞があった。また、特許文献１乃至３の保冷庫では、これらの手間或いは環境負荷がないものの、内容積が予め決まってしまっているため、内容積以上の貯蔵物を貯蔵することができないという問題があった。
【０００４】
本発明は以上の問題点を解決し、低いランニングコストで長時間の貯蔵を可能とすると共に、容量を比較的自由に設定することができる保冷庫、及びこの保冷庫を構成する冷却ユニットを提供することを目的とする。
【課題を解決するための手段】
【０００５】
本発明の請求項１に記載の冷却ユニットは、開口部を有する枠と、断熱性を有し前記枠の開口部の一部を開閉するように取り付けられた主蓋体と、断熱性を有し前記枠の開口部の他部を覆うように取り付けられた副蓋体と、スターリング冷凍機を有すると共に前記副蓋体に取り付けられた冷却サブユニットよりなり、この冷却サブユニットの冷却作用部が前記副蓋体の一面側に熱的に露出するものである。
【０００６】
また、本発明の請求項２に記載の冷却ユニットは、請求項１において、前記主蓋体及び副蓋体が板状の断熱材からなるものである。
【０００７】
また、本発明の請求項３に記載の冷却ユニットは、請求項１乃至２において、前記冷却サブユニットが、この冷却サブユニットを前記蓋体に対して取り付けるための取付体を有するものである。
【０００８】
また、本発明の請求項５に記載の冷却ユニットを用いた保冷庫は、請求項１乃至３において、断熱容器の開口部を閉塞するように、この開口部に対して前記断熱容器とは独立した上記冷却ユニットを着脱自在に取り付けたものである。
【発明の効果】
【０００９】
本発明の請求項１に記載の冷却ユニットは、以上のように構成することにより、前記冷却ユニットによって閉塞可能な開口部を有する任意の大きさの断熱容器に、この断熱容器とは独立した前記冷却ユニットを、前記冷却サブユニットの冷却作用部が前記枠の開口部を介して庫内側となるように被せることで、前記断熱容器内が冷却される。そして、前記冷却ユニットによって閉塞される範囲内であれば、前記断熱容器を任意に選択することができるので、比較的自由に保冷庫の容量を設定することができる。また、前記冷却ユニットによって断熱容器と主蓋体と副蓋体とで囲まれる空間内部が冷却されるので、被貯蔵物を長時間貯蔵することができる。更に、前記冷却サブユニットに、比較的小型軽量で且つ比較的小電力で極めて低温まで冷却することができる前記スターリング冷凍機を用いることで、低いランニングコストで前記保冷庫内を極めて低温まで冷却することができるばかりでなく、保冷庫全体を比較的小型軽量に構成することができる。
【００１０】
また、本発明の請求項２に記載の冷却ユニットは、以上のように構成することにより、比較的容易に前記主蓋体及び副蓋体を任意の大きさに構成することができる。
【００１１】
また、本発明の請求項３に記載の冷却ユニットは、以上のように構成することにより、前記取付体によって、前記スターリング冷凍機が前記冷却サブユニットごと前記副蓋体に取り付けられるので、前記冷却ユニットを容易に組み立てることができるばかりでなく、前記冷却サブユニットを共通化して様々な大きさの前記副蓋体に取り付けることで、様々な大きさの冷却ユニットを容易に得ることができる。
【００１２】
また、本発明の請求項４に記載の冷却ユニットを用いた保冷庫は、以上のように構成することにより、前記冷却サブユニットの冷却作用部が熱的に露出した副蓋体の一面側が庫内側となるように、前記冷却ユニットによって閉塞される開口部を有する断熱容器に、この断熱容器とは独立した前記冷却ユニットを着脱自在に被せて保冷庫とすることで、この保冷庫内が冷却される。そして、前記冷却ユニットによって閉塞される範囲内であれば、前記断熱容器を任意に選択することができるので、比較的自由に保冷庫の容量を設定することができる。また、前記冷却ユニットによって前記断熱容器と主蓋体と副蓋体とで囲まれる空間内部が冷却されるので、被貯蔵物を長時間貯蔵することができる。更に、前記冷却ユニットによって前記保冷庫内を冷却する場合、固体二酸化炭素等を用いないので、ランニングコストを低く抑えることができるばかりでなく、気体二酸化炭素も発生しないので、環境負荷も低く抑えることができる。
【発明を実施するための最良の形態】
【００１３】
以下、本発明の実施形態について、図１乃至図５に基づいて説明する。１は保冷庫であり、この保冷庫１は、冷却ユニット２と断熱容器３とで構成されている。
【００１４】
前記冷却ユニット２は、略「日」の字状に形成された枠４と、この枠４の開口部たる第一の開口部４Ａに対して開閉自在に取り付けられた主蓋体５と、前記枠４の開口部たる第二の開口部４Ｂに対して取り付けられると共に略中央に貫通孔６Ａが形成された副蓋体６と、前記貫通孔６Ａに対して取り付けられる冷却サブユニット７とで構成されている。なお、前記枠４は、その第一の開口部４Ａが第二の開口部４Ｂよりも大きくなるように形成されている。また、前記枠４は、比較的熱伝導率の低い材質、例えば合成樹脂、望ましくは、強度の高いエンジニアリングプラスチック等で構成されている。なお、前記主蓋体５及び副蓋体６は、それぞれ断熱材としての断熱性を有する板状の発泡合成樹脂によって一体的に形成されていると共に、その表面全体がそれぞれ赤外線反射層としての赤外線反射フィルムによって被覆されている。なお、発泡合成樹脂として、例えば発泡ポリウレタンや発泡ポリスチレン等が用いられる。また、前記主蓋体５は、その一辺を前記枠４に対して揺動自在に固定することで、前記第一の開口部４Ａを開閉自在としている。そして、前記副蓋体６の貫通孔６Ａには段部６Ｂが形成されており、この段部６Ｂに、前記冷却サブユニット７の後述する基部10が載置される。また、前記冷却サブユニット７は、スターリング冷凍機８と、このスターリング冷凍機８を収納するケーシング９と、前記スターリング冷凍機８及びケーシング９を支持する基部10とを有して構成されている。また、前記スターリング冷凍機８は倒立しており、このスターリング冷凍機８の筒状部８Ａ先端に形成された吸熱部８Ｂには、吸熱用ヒートシンク11が伝熱的に取り付けられていると共に、前記スターリング冷凍機８の筒状部８Ａ基端に形成された排熱部８Ｃには、排熱用ヒートシンク12が伝熱的に取り付けられている。なお、前記吸熱用ヒートシンク11は、前記基部10の下面側に露出して取り付けられていると共に、前記排熱用ヒートシンク12は、前記ケーシング９内に配されている。また、前記ケーシング９には、その下部に吸気用の開口９Ａと、前記冷却サブユニット７を固定するための取付体９Ｂが設けられていると共に、その上部に排気用の開口９Ｃが設けられており、この開口９Ｃにファン13が取り付けられている。また、前記排熱用ヒートシンク12の外周と前記ケーシング９の内壁との間には、これらの隙間を封止するための封止部材14が設けられている。更に、前記基部10は、その略中央に貫通孔10Ａが形成されていると共に、前記基部10が前記貫通孔６Ａに嵌るように、その外周に段部10Ｂが前記段部６Ｂに対応して形成されている。なお、前記貫通孔10Ａの内径は前記スターリング冷凍機８の筒状部８Ａの外径よりも大きく形成されていると共に、前記スターリング冷凍機８の筒状部８Ａと前記貫通孔10Ａとの隙間は、断熱性を有する発泡ゴム等で形成された封止部材15によって封止されている。また、前記吸熱用ヒートシンク11は、前記基部10の下部外周からはみ出さない大きさに形成されている。更に、前記吸熱用ヒートシンク11近傍には、この吸熱用ヒートシンク11に気流を通すためのファン16が設けられている。そして、前記スターリング冷凍機８の吸熱部８Ｂ、前記吸熱用ヒートシンク11及び前記ファン16によって、冷却作用部Ａが構成されている。なお、前記ケーシング９の正面側には、操作部17が設けられており、この操作部17内に図示しない制御回路が収容されている。
【００１５】
前記断熱容器３は、右壁３Ａ、左壁３Ｂ、前壁３Ｃ、後壁３Ｄ、底壁３Ｅ及び第二の蓋体としての断熱容器３自体の蓋体18を有して折り畳み自在に構成されている。そして、これらの各壁３Ａ，３Ｂ，３Ｃ，３Ｄ，３Ｅ及び蓋体18は、それぞれ断熱性を有する板状の発泡合成樹脂によって一体的に形成されていると共に、その表面全体が赤外線反射層としての赤外線反射フィルムによって被覆されている。また、前記各壁３Ａ，３Ｂ，３Ｃ，３Ｄ，３Ｅは、断熱容器３として組み立てられた状態において、その庫外側表面が、赤外線反射フィルムから成るカバー体19で覆われている。そして、この前記カバー体19の上端に、前記蓋体18の一辺が揺動自在に取り付けられている。なお、上述の構成により、前記断熱容器３を、容易に且つ安価に製造することができるばかりでなく、任意の大きさのものを容易に且つ安価に製造することができる。また、前記断熱容器３は、不使用時に前記各壁３Ａ，３Ｂ，３Ｃ，３Ｄ，３Ｅ及び蓋体18単位に折り畳むことで、場所を取らないようにすることができる。
【００１６】
次に、本実施形態の冷却ユニット２の組み立て手順について説明する。まず、前記冷却サブユニット７を組み立てる。詳述すると、まず、前記スターリング冷凍機８の排熱部８Ｃに排熱用ヒートシンク12を取り付けた後、前記筒状部８Ａにおける前記吸熱部８Ｂと排熱部８Ｃの間の外周に、封止部材15を取り付ける。そして、前記排熱用ヒートシンク12の周囲に前記封止部材14を取り付けた後、前記スターリング冷凍機８を倒立させた状態で、このスターリング冷凍機８を前記ケーシング９に収納する。そして、このケーシング９の排気用開口９Ｃにファン13を取り付ける。そして、前記スターリング冷凍機８が収納されたケーシング９を、前記取付体９Ｂによって、前記基部10に取り付けると共に、前記スターリング冷凍機８の筒状部８Ａを前記基部10の貫通孔10Ａに通す。このとき、前記貫通孔10Ａと筒状部８Ａの隙間は、前記封止部材15によって封止される。そして、前記スターリング冷凍機８の筒状部８Ａの先端に形成された吸熱部８Ｂに、吸熱用ヒートシンク11を取り付け、更にこのヒートシンク11近傍に前記ファン16を取り付ける。更に、前記スターリング冷凍機８とファン13とファン16の電気的配線を、図示しない前記制御回路に接続し、この制御回路を前記操作部17に収納する。以上のようにして、前記冷却サブユニット７が組み立てられる。そして、このようにして組み立てられた前記冷却サブユニット７は、前記副蓋体６の貫通孔６Ａに取り付けられる。即ち、前記冷却サブユニット７の基部10に形成された前記段部10Ｂが、前記貫通孔６Ａの段部６Ｂに乗るように、前記基部10を前記貫通孔６Ａに嵌め込むことで、前記冷却サブユニット７を前記副蓋体６に取り付ける。このとき、前述したように、前記吸熱用ヒートシンク11の大きさが、前記基部10の下部外周からはみ出さない大きさに形成されているので、前記冷却サブユニット７を前記副蓋体６に取り付ける際に、前記吸熱用ヒートシンク11が前記貫通孔６Ａと干渉することがない。更に、このようにして前記冷却サブユニット７が取り付けられた副蓋体６及び前記主蓋体５を、前記枠４の両開口部４Ｂ，４Ａにそれぞれ取り付ける。このとき、前記副蓋体６は、前記枠４の第二の開口部４Ｂに対して固定されると共に、前記主蓋体５は、その一辺が前記枠４に対して揺動自在となるように、その第一の開口部４Ａに対して取り付けられている。即ち、前記枠４に対して揺動自在に取り付けられた主蓋体５によって、前記枠４の第一の開口部４Ａが開閉自在に閉蓋されている。そして、このように、前記冷却ユニット２が、前記枠４に、前記主蓋体５と、前記冷却サブユニット７が取り付けられた副蓋体６とを取り付けることで構成されているため、共通の前記冷却サブユニット７を用いて前記枠４、主蓋体５及び副蓋体６を変更することで、様々な大きさの前記冷却ユニット２、即ち様々な大きさの前記断熱容器３に対応する前記冷却ユニット２を得ることができる。そして、前記主蓋体５及び副蓋体６が、それぞれ前記赤外線反射フィルムで覆われているものの、基本的に断熱性の板状発泡合成樹脂によってそれぞれ一体的に形成されているため、様々な大きさの前記主蓋体５及び副蓋体６を、容易に且つ安価に得ることができる。また、前記枠４も、合成樹脂等で���成されているため、容易に且つ安価に得ることができる。これによって、前記冷却ユニット２を安価に製造することができる。
【００１７】
次に、本実施形態の作用について説明する。まず、予め冷蔵庫或いは冷凍庫で冷蔵或いは冷凍された被貯蔵物を前記断熱容器３内に収容し、前記冷却ユニット２を、前記断熱容器３の開口部３Ｆを閉塞するように、前記断熱容器３の上端部に取り付ける。この際、前記枠４が前記断熱容器３の上端部と接するように、即ち、前記冷却作用部Ａが前記断熱容器３の庫内側となるように、前記冷却ユニット２を取り付ける。そして、前記操作部17を操作して、前記スターリング冷凍機８，ファン13，16を作動させる。そして、前記スターリング冷凍機８が作動することで、前記吸熱部８Ｂは低温となり、排熱部８Ｃは高温となる。そして、低温となった前記吸熱部８Ｂは、この吸熱部８Ｂと熱的に接触した前記吸熱用ヒートシンク11、更にはこの吸熱用ヒートシンク11が露出した前記断熱容器３の庫内空間の空気から熱を奪い、この奪った熱を前記排熱部８Ｃに移動させる。そして、前記排熱部８Ｃに移動した熱は、前記排熱用ヒートシンク12から排熱される。なお、前記断熱容器３の庫内空間の空気は、前記ファン16によって前記吸熱用ヒートシンク11に当てられるので、前記断熱容器３内の空気は、前記スターリング冷凍機８によって満遍なく且つ効率よく冷却されることになる。また、前記ファン13が作動することで、前記ケーシング９の吸気用開口９Ａから外気が流入し、この流入した外気が前記排熱用ヒートシンク12を通過した後、前記スターリング冷凍機８の胴部８Ｄ周囲を通過し、前記排気用開口９Ｃから前記ファン13を経て前記ケーシング９外に排出される。この際、前記ファン13で形成された気流によって、前記排熱用ヒートシンク12及び前記スターリング冷凍機８の胴部８Ｄが冷却される。このようにして、前記断熱容器３の庫内空間が冷却されることで、前記断熱容器３内に収容された被貯蔵物が冷却される。なお、前記断熱容器３自体が、軽量な板状の発泡合成樹脂と赤外線反射フィルムで構成されていることで、極めて軽量に構成されていると共に、前記冷却ユニット２も、合成樹脂などで形成された前記枠４と、それぞれ板状の発泡合成樹脂と赤外線反射フィルムで構成されている前記主蓋体５及び副蓋体６と、比較的軽量な前記スターリング冷凍機８を用いた前記冷却サブユニット７とで構成されていることで、比較的軽量に構成されている。従って、前記冷却ユニット２を用いた保冷庫１全体を比較的軽量に構成することができる。また、前記主蓋体５、副蓋体６及び断熱容器３を構成する発泡合成樹脂の板材の周囲を赤外線反射フィルムで被覆したことによって、前記保冷庫１の庫外から庫内へ赤外線、即ち熱が侵入することが阻止されるので、前記保冷庫１の庫内を効率的に冷却することができるばかりでなく、極めて低温まで冷却することができる。また、前記冷却ユニット２は、前記主蓋体５と副蓋体６とが独立して設けられているため、前記断熱容器３の開口部３Ｆに前記冷却ユニット２を取り付けた状態で、軽量な前記主蓋体５だけを開くことで、前記保冷庫１を構成する断熱容器３の開口部３Ｆを容易に開放して被貯蔵物を容易に収容したり取り出したりすることができる。更に、前記枠４が合成樹脂等の低熱伝導性材質で形成されていることで、この枠４を介して前記保冷庫１外の熱が前記保冷���１内に流入することが防止される。なお、前記冷却ユニット２によって内部が冷却された前記保冷庫１を人力で運搬するに当たって、前記冷却ユニット２による冷却が不要な場合、図５に示すように、前記冷却ユニット２を取り外し、前記断熱容器３自体の蓋体18によって、前記断熱容器３の開口部３Ｆを閉塞するようにしても良い。更に、前記保冷庫１は、前記冷却ユニット２を前記保冷庫１から取り外すと共に、前記断熱容器３を前記各壁３Ａ，３Ｂ，３Ｃ，３Ｄ，３Ｅ及び蓋体18単位に折り畳むことで、前記保冷庫１内に被貯蔵物が貯蔵されていない不使用時に、場所を取らないようにすることができる。
【００１８】
以上のように、本発明の実施形態は、開口部たる第一の開口部４Ａを覆うように、断熱性を有する主蓋体５を枠４に対して開閉自在に取り付けると共に、開口部たる第二の開口部４Ｂを覆うように、スターリング冷凍機８を有する冷却サブユニット７が取り付けられて冷却作用部Ａが一面側に熱的に露出した断熱性を有する副蓋体６を前記枠に対して取り付けて、冷却ユニット２を構成することで、この冷却ユニット２によって開口部３Ｆが閉塞される任意の大きさの前記断熱容器３内を冷却することができ、従来用いられていた固体二酸化炭素や保冷剤等と比較して、被貯蔵物を長時間連続して貯蔵することができるばかりでなく、小型軽量で且つ小電力で極めて低温まで冷却することができるスターリング冷凍機８とすることで、低いランニングコストで前記保冷庫１内を極めて低温まで冷却することができると共に、前記保冷庫１全体を軽量に構成することができるものである。更に、前記保冷庫１内の冷却に固体二酸化炭素等を用いないので、ランニングコストを低く抑えることができるばかりでなく、気体二酸化炭素も発生しないので、環境負荷も低く抑えることができるものである。また、本発明の実施形態は、前記主蓋体５及び副蓋体６が、それぞれ板状の発泡合成樹脂によって一体的に形成されていることで、前記主蓋体５及び副蓋体６、ひいては前記冷却ユニット２全体を軽量且つ安価にすることができるばかりでなく、容易に前記主蓋体５及び副蓋体６を任意の大きさに構成することができる。また、本発明の実施形態は、取付体９Ｂによって前記冷却サブユニット７を前記副蓋体６に対して取り付けることで、前記取付体９Ｂによって、前記スターリング冷凍機８が前記冷却サブユニット７ごと前記副蓋体６に取り付けられるので、前記冷却ユニット２を容易に組み立てることができるばかりでなく、前記冷却サブユニット７を共通化して様々な大きさの前記副蓋体６に取り付けることで、様々な大きさの冷却ユニット２を容易に得ることができるものである。また、前記枠４を熱不良導体としての合成樹脂等で形成することで、前記枠４を介して前記保冷庫１外から保冷庫１内に熱が流入することが防止されるものである。更に、本発明の実施形態は、前記断熱容器３を発泡合成樹脂によって形成することで、この断熱容器３を軽量且つ安価にでき、これによって前記保冷庫１全体を軽量且つ安価にすることができるばかりでなく、容易に前記断熱容器３を任意の大きさに構成することができるものである。
【００１９】
なお、本発明は以上の実施形態に限定されるものではなく、発明の要旨の範囲内で種々の変形が可能である。例えば、上記実施形態においては、前記冷却サブユニットが前記副蓋体から露出して設けられているが、前記冷却サブユニットが前記副蓋体内に収容されるように構成しても良い。また、上記実施形態では、前記主蓋体が前記枠に対して揺動自在に取り付けられているが、要は前記枠の開口部を開閉するようにすればよいので、例えば前記主蓋体が前記副蓋体に対して揺動自在に取り付けられるようにしてもよい。更に、上記実施形態では、前記枠に形成された開口部が二つであるが、開口部を一つとして、前記主蓋体と副蓋体とで一つの開口部を覆うようにしてもよく、また、開口部を三つ以上形成し、一の開口部を前記副蓋体で覆うと共に、他の二つ以上の開口部をそれぞれ個別の主蓋体で開閉するように構成してもよい。更に、上記実施形態では、前記主蓋体、副蓋体及び断熱容器を発泡合成樹脂で構成したが、これ以外の断熱材、例えば真空断熱材等を用いて構成してもよい。そして、このように前記主蓋体、副蓋体及び断熱容器を真空断熱材に真空断熱材を用いると、断熱性能が向上するため、庫外からの熱の流入が抑えられ、冷却庫内をより低温まで冷却できると共に、より速やかに冷却することができる。
【産業上の利用可能性】
【００２０】
例えば、予め断熱容器の開口部に冷却ユニットを着脱自在に取り付けた状態のものを販売する他、前記断熱容器と冷却ユニットとを個別に販売し、使用者が任意の前記断熱容器と冷却ユニットを組み合わせて使用することも考えられる。
【図面の簡単な説明】
【００２１】
【図１】本発明の第一の実施形態を示す冷却ユニットを用いた保冷庫の断面図である。
【図２】同上、冷却ユニットを用いた保冷庫の要部の拡大断面図である。
【図３】同上、冷却ユニットの平面図である。
【図４】同上、冷却ユニットを用いた保冷庫の右側面図である。
【図５】同上、冷却ユニットを取り外して第二の蓋体を取り付けた状態の右側面図である。
【符号の説明】
【００２２】
１  保冷庫
２  冷却ユニット
３  断熱容器
３Ｆ  開口部
４  枠
４Ａ  第一の開口部（開口部の一部）
４Ｂ  第二の開口部（開口部の他部）
５  主蓋体
６  副蓋体
７  冷却サブユニット
８  スターリング冷凍機
８Ｂ  吸熱部（冷却作用部）
11  吸熱用ヒートシンク（冷却作用部）
16  ファン（冷却作用部）
Ａ  冷却作用部
【図１】
2006090665.tif 000003
【図２】
2006090665.tif 000004
【図３】
2006090665.tif 000005
【図４】
2006090665.tif 000006
【図５】
2006090665.tif 000007